(57)【要約】【課題】高層建物の清掃等の改修工事を行う際に、ビル風が発生してもベランダに堅固に支持できて、傾くことのない工事用足場を提供すること。【解決手段】足場１０は、下部区域Ｍ１に配置される下部枠体１１と、上部区域Ｍ２と側部区域Ｍ３に跨る上部枠体１３とを備えて構成する。下部枠体１１はベランダ床面４に接地するキャスタ１２を備え、上部枠体３の上部には係止部材ユニット２０を装着する。係止部材ユニット２０の係止部材２１をベランダ天井壁５に面接触で押し当てることにより、ベランダ床面４とベランダ天井壁５との間で足場１０を固く支持する。上部枠体１３の上面とベランダ天井壁５との間の隙間Ｓを僅かにして、足場１０が傾いても上部枠体１３でベランダ天井壁５に干渉させる。また、係止部材ユニット２０には、室内側に延びるアームジャッキ２９を備えて補助係止部材３０でベランダ天井壁５に係止可能に構成する。【選択図】図１
2010059614.tif 000002
【特許請求の範囲】
【請求項１】
高層住宅のベランダの清掃工事をするための工事用足場であって、
ベランダ床面に当接する下部区域と、前記ベランダ天井壁に係止可能な係止部材を備える上部区域と、ベランダ外側に突出して作業可能な側部区域とを備え、
前記上部区域と前記側部区域には一体的に連接した枠体状の上部枠体が配設され、前記下部区域には枠体状に形成された下部枠体が配設され、
前記上部枠体は前記下部枠体に着脱可能に構成され、
前記上部枠体の上面は、前記上部枠体の上面が前記ベランダ外側方向に傾いたときに、前記ベランダ天井壁に干渉できる隙間を有して配設され、
前記係止部材は、前記ベランダ天井壁におけるベランダ室内側からベランダ室外側に向かう方向に沿って、前記ベランダ天井壁と面接触可能に係止されて、前記上部枠体に対して昇降可能に配設されていることを特徴とする工事用足場。
【請求項２】
前記係止部材は、前記上部枠体の上面に着脱可能に配設される係止部材ユニットに、前記ベランダの長さ方向に沿って一対装着されていることを特徴とする請求項１記載の工事用足場。
【請求項３】
前記係止部材ユニットには、前記係止部材ユニットから前記ベランダ室内側に向かって延設可能なアームが長さ調整可能に配設され、前記アームの先端に前記ベランダ天井壁に係止する補助係止部材が配設されていることを特徴とする請求項２記載の工事用足場。
【請求項４】
前記下部枠体には、下部に第１のキャスタを備えていることを特徴とする請求項１，２又は３記載の工事用足場。
【請求項５】
高層住宅のベランダの清掃工事をするための工事用足場であって、
ベランダ床面側に配設される下部区域と、前記ベランダ天井壁に係止可能な係止部材を備える上部区域と、ベランダ外側に突出して作業可能な側部区域とを備え、
前記上部区域と前記側部区域には一体的に連接した枠体状の上部枠体が配設され、前記下部区域には枠体状に形成された下部枠体が配設され、
前記上部枠体は前記下部枠体に着脱可能に構成され、
前記上部枠体の上面は、前記上部枠体の上面が前記ベランダ外側方向に傾いたときに、前記ベランダ天井壁に干渉できる隙間を有して配設され、
前記係止部材は、前記ベランダ天井壁におけるベランダ室内側からベランダ室外側に向かう方向に沿って、前記ベランダ天井壁と面接触可能に係止されて、前記上部枠体に対して昇降可能に配設される、
足場ユニットが構成され、
前記ベランダには、前記ベランダ床面と前記ベランダ天井壁とを突っ張るように配設された側部レール枠体と、前記側部レール枠体から延設されて前記足場ユニットの下部枠体を支持するとともに前記ベランダ床面に支持される下部レール枠体と、を備えるレールユニットが配設されていることを特徴とする工事用足場。
【請求項６】
前記係止部材は、前記上部枠体の上面に着脱可能に配設される係止部材ユニットに、前記ベランダの長さ方向に沿って一対装着されていることを特徴とする請求項５記載の工事用足場。
【請求項７】
前記係止部材ユニットには、前記係止部材ユニットから前記ベランダ室内側に向かって延設可能なアームが長さ調整可能に配設され、前記アームの先端に前記レールユニットの上端部に係止可能な連結係止部材が配設されていることを特徴とする請求項６記載の工事用足場。
【請求項８】
前記下部レール枠体には、前記足場ユニットの下部枠体に配設された第１のキャスタを支持する支持レールを備えるとともに、前記ベランダ床面を走行可能な第２のキャスタを備えていることを特徴とする請求項５，６又は７記載の工事用足場。
【発明の詳細な説明】
【技術分野】
【０００１】
本発明は、高層建物又は超高層建物等におけるベランダ外壁等の清掃工事を行うための工事用足場に関する。
【背景技術】
【０００２】
地上２０階以上を越える高層建物や超高層建物でのベランダ外壁等の改修工事を行う場合、高層で発生するビル風が、建物に当たった風が舞い上がったり、吹き抜けたりすることによって、地上では考え難い風の影響を受けやすい。このため、従来から行われていた改修工事、例えば、屋上からゴンドラを吊り下げて行う作業は、危険が大きいことから実施できにくい状況にあった。また、地上から積み上げて構成するピケ足場の場合、高層建物の場合では、足場作りが大掛かりな作業となって工事の長期化又は莫大な工事費用がかかり、現実には無理が生じていた。
【０００３】
このことから、従来においては、特許文献１に知られるように、ベランダで組み付けることができる足場が提供されていた。これによると、足場は、ベランダの床面と天井壁とを突っ張るように支持する支柱を設けて足場本体を構成し、足場本体からベランダ外側に、張り出し枠体を突出させて作業枠体としていた。これによって、足場本体を簡略化することができるとともに、工期も短くすることができ、工事費用も廉価にすることができることとなっていた。
【特許文献１】特開平１１−２２３０１２公報
【発明の開示】
【発明が解決しようとする課題】
【０００４】
しかし、高層建物が２０階を越えて５０階以上に至る、いわゆるタワー型超高層マンション群では、冒頭に述べた、ビル風の影響を大いに受けることとなり、少しでも危険な作業を想定できるような構成にすることはできない。つまり１００％近い安全な足場を構成する必要があり、また、工事の長期化を防止して廉価な費用で提供できる足場でなくてはならない。
【０００５】
特許文献１の足場では、確かに簡略された構成の足場が開示されているものの、１００％近い安全な足場とはいえない。つまり、ベランダ天井壁とベランダ床面とを突っ張って支持する支柱は、ベランダ床面に接地する４本とベランダ天井壁に接地するベランダ室内側の端部の２本で構成されている。また、作業を行うための張り出し枠は、上段枠の外側部分から張出しているから、万が一天井壁を突っ張っている支柱が破損した場合には、張り出し枠にかかるモーメントにより足場自体がベランダの外側に大きく傾く。張り出し枠が傾くことによって、最悪の場合には、足場自体が落下する虞を生じ、また落下しないまでも、張り出し枠に仮置きした道具や金具等が落下する虞がある。たとえ小さなものでも、高層建物の上階から落下したものは、地上に達する際には、加速度を大きくして事故の要因となりやすい。したがって、上記のような高層建物で改修工事を行うための足場としては、安全な構成を第１に考慮することが特に必要となっていた。
【課題を解決するための手段】
【０００６】
本発明は、上述の課題を解決するものであり、超高層建物を含む高層建物で改修工事を行う際に、簡略化できて廉価な費用で工事を行うとともに、たとえ、一部に破損が生じても、ベランダ外側に傾き難い工事用足場を提供することを目的とする。
【０００７】
本発明に係る工事用足場は、上記の目的のために、以下のように構成するものである。すなわち、
請求項１記載の発明では、高層住宅のベランダの清掃工事をするための工事用足場であって、ベランダ床面に当接する下部区域と、前記ベランダ天井壁に係止可能な係止部材を備える上部区域と、ベランダ外側に突出して作業可能な側部区域とを備え、前記上部区域と前記側部区域には一体的に連接した枠体状の上部枠体が配設され、前記下部区域には枠体状に形成された下部枠体が配設され、前記上部枠体は前記下部枠体に着脱可能に構成され、前記上部枠体の上面は、前記上部枠体の上面が前記ベランダ外側方向に傾いたときに、前記ベランダ天井壁に干渉できる隙間を有して配設され、前記係止部材は、前記ベランダ天井壁におけるベランダ室内側からベランダ室外側に向かう方向に沿って、前記ベランダ天井壁と面接触可能に係止されて、前記上部枠体に対して昇降可能に配設されていることを特徴とするものである。
【０００８】
請求項２記載の発明は、請求項１の発明に係るものであって、前記係止部材は、前記上部枠体の上面に着脱可能に配設される係止部材ユニットに、前記ベランダの長さ方向に沿って一対装着されていることを特徴としている。
【０００９】
請求項３記載の発明は、請求項２の発明に係るものであって、前記係止部材ユニットには、前記係止部材ユニットから前記ベランダ室内側に向かって延設可能なアームが長さ調整可能に配設され、前記アームの先端に前記ベランダ天井壁に係止する補助係止部材が配設されていることを特徴としている。
【００１０】
請求項４記載の発明は、請求項１乃至３の発明に係るものであって、前記下部枠体には、下部に第１のキャスタを備えていることを特徴としている。
【００１１】
請求項５記載の発明では、高層住宅のベランダの清掃工事をするための工事用足場であって、ベランダ床面側に配設される下部区域と、前記ベランダ天井壁に係止可能な係止部材を備える上部区域と、ベランダ外側に突出して作業可能な側部区域とを備え、前記上部区域と前記側部区域には一体的に連接した枠体状の上部枠体が配設され、前記下部区域には枠体状に形成された下部枠体が配設され、前記上部枠体は前記下部枠体に着脱可能に構成され、前記上部枠体の上面は、前記上部枠体の上面が前記ベランダ外側方向に傾いたときに、前記ベランダ天井壁に干渉できる隙間を有して配設され、前記係止部材は、前記ベランダ天井壁におけるベランダ室内側からベランダ室外側に向かう方向に沿って、前記ベランダ天井壁と面接触可能に係止されて、前記上部枠体に対して昇降可能に配設される、足場ユニットが構成され、前記ベランダには、前記ベランダ床面と前記ベランダ天井壁とを突っ張るように配設された側部レール枠体と、前記側部レール枠体から延設されて前記足場ユニットの下部枠体を支持するとともに前記ベランダ床面に支持される下部レール枠体と、を備えるレールユニットが配設されていることを特徴とするものである。
【００１２】
請求項６記載の発明は、請求項５の発明に係るものであって、前記係止部材は、前記上部枠体の上面に着脱可能に配設される係止部材ユニットに、前記ベランダの長さ方向に沿って一対装着されていることを特徴としている。
【００１３】
請求項７記載の発明は、請求項６の発明に係るものであって、前記係止部材ユニットには、前記係止部材ユニットから前記ベランダ室内側に向かって延設可能なアームが長さ調整可能に配設され、前記アームジャッキの先端に前記レールユニットの上端部に係止可能な連結係止部材が配設されていることを特徴としている。
【００１４】
請求項８記載の発明は、請求項５乃至７の発明に係るものであって、前記下部レール枠体には、前記足場ユニットの下部枠体に配設された第１のキャスタを支持する支持レールを備えるとともに、前記ベランダ床面を走行可能な第２のキャスタを備えていることを特徴としている。
【発明の効果】
【００１５】
本発明の工事用足場は、上部枠体に配設された係止部材が、ベランダ天井壁に対して、ベランダ室内側からベランダ室外側に向かって面接触可能に係止してベランダ床面とベランダ天井壁とを突っ張るように支持されている。したがって、工事用足場は、ベランダ天井壁に広い接触面で支持されているから、工事用足場を安定した状態で支持することができる。また、上部区域と側部区位置に跨るように一体的に連結された上部枠体が、天井壁との間の隙間を僅かな寸法で設定している、つまり、上部枠体が傾いても、上部枠体が天井壁に干渉してその傾きを防止することができることから、足場自体をベランダから落下させる虞はない。したがって、ビル風の発生で、万が一、係止部材の損傷が発生して上部枠体がベランダ外側に傾向くことがあっても、足場自体を僅かな傾きで抑えることができ、事故を発生させる虞はない。
【００１６】
また、係止部材を上部枠体と着脱可能な係止部材ユニットとして構成することによって、高層建物の上階に移動する際に、持ち運びを容易にするとともに、係止部材の交換を容易に行うことができる。
【００１７】
また、係止部材ユニットに室内側に延びるアームを配設して、先端に、ベランダ天井壁に係止可能な補助係止部材を設けることによって、工事用足場は、ベランダ天井壁に、上部枠体から上方に向かって延設する係止部材と、アームの先端から上方に向かって配設される補助係止部材との両方で支持されることになるから、さらに安全に構成できて安全作業を行うことができる。しかも、アームは、係止部材ユニットに対して長さ調整することによって、適度な位置で補助係止部材をベランダ天井壁に係止させることができる。
【００１８】
また、下部枠体に設けられたキャスタによって、工事用足場はベランダ床面を走行できることから、所定の場所で改修作業を終えた後は、即座に次の作業場所に移動することができる。
【００１９】
また、本発明の工事用足場では、略上述のように構成された足場ユニットをレールユニットで支持することによって、さらに安全な構成とすることができる。
【００２０】
この場合、上部枠体に対して着脱可能に配設された係止部材ユニットから延びるアームをレールユニットの上部に係止させることによって、足場ユニットがレールユニットに支持されることから、足場ユニットは、ベランダに堅固に支持されて、傾く虞は皆無となる。
【００２１】
また、足場ユニットは、レールユニットに対してキャスタで走行可能に設けられているから、所定の作業を終了した後は、レールユニット内で次の箇所に容易に移動することができる。さらに、レールユニット自体もベランダ上を走行できることから、足場ユニットを支持したレールユニットをベランダに沿って移動することによって、長い距離を移動することができ、ベランダの外壁の改修工事を短期で行うことが可能となる。
【発明を実施するための最良の形態】
【００２２】
次に、本発明の工事用足場における実施形態について、図面に基づいて説明する。この工事用足場(以下、単に足場ともいう)は、高層住宅のベランダに設置し、そして、ベランダ天井壁下面の塗装、あるいはベランダ外壁の外面の塗装等の清掃工事等を行うことに好適に使用される。なお、以下の説明では、図１において、足場１０における部屋１に向かう側を前側又は前部といい、部屋１から離れる方向を後側又は後部あるいは外側という。また、足場１０をベランダに作業可能に設置した状態で、ベランダ３の長手方向に沿って配置される方向を足場１０の幅方向(図１における紙面と直交する方向)という。
【００２３】
図１は、ベランダ３内に配置される足場１０の側面を示すものであり、各階のベランダ３は、部屋１の外側に配置されている。足場１０はベランダ床面４に当接する区分を含む下部区域Ｍ１と、ベランダ天井壁５に係止する区分を含む上部区域Ｍ２と、ベランダ外壁６から外方部位に突出する区分を含む側部区域Ｍ３とを備えている。側部区域Ｍ３は作業区域として構成されている。
【００２４】
下部区域Ｍ１には、枠状に形成された下部枠体１１が配置され、上部区域Ｍ２及び側部区域Ｍ３には、上部区域Ｍ２と側部区域Ｍ３に跨って上部枠体１３が配置されている。上部枠体１３は、下部枠体１１に対して着脱可能に構成されるとともに、上面がベランダ天井壁５の下面との間に隙間Ｓを有して形成されている。この隙間Ｓは、足場１０がベランダ外壁６側に傾いたときに、上部枠体１３の上面がベランダ天井壁５に干渉する程度の隙間を有している。また、上部枠体１３は、部屋１とベランダ外壁６との間に配置されるとともに外側端面はベランダ外壁６の外端面より外側に突出して配置されている。ベランダ外壁６より外方に突出した区域は作業区域(側部区域Ｍ３)を示している。
【００２５】
下部枠体１１は、図２に示すように、平面視、前部を開口したコ字状枠体１１２を３段に積み重ね、４隅にＬ字状に形成された縦カバー１１１で覆うようにして構成している。各コ字状枠体１１２は、Ｌ字状の単体部材１１２ａを上下２段に配置してそれぞれ連結し、それぞれネジ固定又は接着・溶着固定して構成している。各コ字状枠体１１２の上段部に配置された単体部材１１２ａには各段のコ字状枠体１１２を積み重ねて固定するためのリーマボルト１１２ｂが下方から上方に突出するように装着されている。さらに、最下段のコ字状枠体１１２に配置される一対の下段の単体部材１１２ａ、１１２ａは、それぞれ後方が縦カバー１１１より後方に延設され、延設された部位には、床面に接地可能なアジャスタ１１３が高さ調整可能に配置されている。また、最下段のコ字状枠体１１２の下段においては前方にも単体部材１１２ａが配置されて平面視、ロ字状に形成されている。さらに最下段のコ字状枠体１１２の下方には、４隅に配置されたキャスタ１２が装着されている。
【００２６】
また、下部枠体１１には、下段のコ字状枠体１１２に敷板１１４を敷設するとともに、敷板１１４の前方から上部枠体１３に向かって昇降できるように階段１１５を配置している。
【００２７】
上部枠体１３は、足場１０の幅方向に配置される一対の側部枠体部１４、１５と側部枠体部１４、１５の後端部に配置される後枠体部１６とを備えて枠体状に構成されている。
【００２８】
側部枠体部１４、１５は、下部枠体１１の前側２本の縦カバー１１１の上端から上方に延びる２本の上部前縦支柱１４１、１５１と、上部区域Ｍ２と側部区域Ｍ３との境に配置される上部中縦支柱１４２、１５２と、側部区域Ｍ３の後端部に配置される上部後縦支柱１４３、１５３と、上部前縦支柱１４１、１５１から上部後縦支柱１４３、１５３にわたって両側に一対配置される３本の横支柱（上部横支柱１４４、１５４、中部横支柱１４５、１５５、下部横支柱１４６，１５６）とを備えて枠体状に形成されている。一対の上部前縦支柱１４１、１５１、上部中縦支柱１４２、１５２、上部後縦支柱１４３、１５３、上部横支柱１４４、１５４、下部横支柱１４６、１５６はＬ字状部材で形成され、一対の中部横支柱１４５、１５５は平板部材で形成されている。
【００２９】
後枠体部１６は、Ｌ字状部材で形成された縦支柱１６１と横支柱１６２とを組みつけて枠体状に形成するとともに、中央部に水平方向に配置する平板で形成された補強支柱１６３とを備えている。このように構成された後枠体部１６は側部枠体部１４、１５の各構成支柱内の後部裏面側に装着されている。
【００３０】
なお、上部枠体１３の一対の下部横支柱１４６、１５６は、下部枠体１１に対して、下部枠体１１における上段のコ字状枠体１１２に下方から上方に向かって装着されたリーマボルト１１２ｂに、ナットを螺着することによりネジ締結されている。これによって下部枠体１１と上部枠体１３とは着脱可能に配置される。また、下部横支柱１４６、１５６の後部(側部区域Ｍ３)には、作業をするための敷板１７が敷設されている。
【００３１】
上部枠体１３の後部上方には、上階のベランダ外壁６の外側に突出するカバー枠体部１８が配置されている。カバー枠体部１８は、平面視、前部を開口したコ字状に形成され、上段と下段及び前部と後部に、それぞれＬ字状部材で形成された縦支柱１８１と横支柱１８２とを組み付けて構成されている。下段の横支柱１８２は、上部枠体１３の側部枠体部１４、１５の下部横支柱１４６、１５６の後部に、下方から上方に向かって装着されたリーマボルト１４４ａ、１５４ａにネジ締結により着脱可能に固定されている。
【００３２】
上部枠体１３及びカバー枠体部１８には、側部区域Ｍ３の周りを囲うように平板のカバー板１９が装着されている。つまり、カバー板１９は、上部枠体１３の側部枠体部１４、１５と後枠体部１６、及びカバー枠体部１８に装着されて、作業者及び道具や部品の落下防止を図っている。
【００３３】
上部枠体１３の上方には、ベランダ天井壁５に係止する係止部材２１を備える係止部材ユニット２０が配置されている。
【００３４】
係止部材ユニット２０は、上部枠体１３の上部横支柱１４４、１５４上に装着される横ベース２３、２４と、横ベース２３、２４を連結する前連結支柱２５、後連結支柱２６と、前連結支柱２５、後連結支柱２６の両端部にわたって配置されたＬ字状のジャッキ取付けベース２７、２７と、を備えるベース体２２と、ジャッキ取付けベース２７上に配置される一対のメインジャッキ２８、２８と、を備えている。Ｌ字状に形成されたジャッキ取付けベース２７の下面は前連結支柱２５と後連結支柱２６の上面にネジ締結され、側面は横ベース２３(又は２４)の内側側面に溶着されている。なお、横ベース２３、２４は角筒状に形成されている。
【００３５】
メインジャッキ２８、２８の上部には、ベランダ天井壁５を係止して押圧可能な係止部材２１が装着されている。一対の角筒状の横ベース２３、２４には、ベランダ室内側に延設して、長さ調整可能なアーム(以下、アームジャッキという)２９、２９が挿入されている。アームジャッキ２９、２９の先端には、ベランダ天井壁５を係止する補助係止部材３０が配置され、ベランダ天井壁５を押圧可能としている。
【００３６】
実施形態で使用するメインジャッキ２８は、Ｌ字状のジャッキ取付けベース２７の下辺上にネジ締結で載置され、例えば、高さ方向に伸縮自在に構成された４本リンクを備えるジャッキで構成されている。つまり、中央部に水平方向に配置された調整ネジ２８1と、調整ネジ２８１によって一端が高さ方向に移動可能に構成された４本のリンク２８２と、を備えている。４本のリンク２８２のうち、上部に延びる２本のリンク２８２a、２８２aには、ベランダ天井壁５に係止して押圧可能な係止部材２１が配置されている。係止部材２１は、図１及び図３〜４に示すように、ベランダ室内側からベランダ室外側に沿って延びる棒状部材で形成され、２本のリンク２８２a、２８２aに枢着可能に配置された略Ｕ字状のブラケット３１に、ネジ締結又は接着によって収納されている。係止部材２１の長さは、実施形態においては、上部枠体１３の上部前縦支柱１４１（１５１）から上部中縦支柱１４２（１５２）にわたって延設する長さに形成されている。なお、メインジャッキ２８を最小寸法まで下げた状態では、係止部材２１の上面は、横ベース２３、２４の上面と略同一面となるように設定されている。
【００３７】
係止部材２１は、木材あるいは樹脂材で形成され、ベランダ天井壁５を押圧する際に、係止部材２１の上面全面で受けてベランダ天井壁５の凹凸状表面に追随できるように、ベランダ天井壁５より軟質の材料で形成されている。また、係止部材２１の幅方向の寸法は、特に規制するものではないが、繰り返しの使用で、一部に集中的な圧力を受けない程度の広さに形成することが望ましい。
【００３８】
実施形態のアームジャッキ２９は、横ベース２３(２４)に摺動可能に挿入され、断面角筒状に形成されている。アームジャッキ２９の側面には、複数の貫通孔２９１が形成され、アームジャッキ２９を部屋１側に延設したときに、いずれかの貫通孔２９１に、横ベース２３(２４)に形成された貫通孔２９１と対向する対向孔２３１(２４１)とともに、図示しないピンを挿入することによって、アームジャッキ２９の位置決めがなされる。また、アームジャッキ２９の先端部位には雌ネジ部材２９２が一体的に配置されている。雌ネジ部材２９２には、前述の補助係止部材３０が螺着されて、補助係止部材３０をベランダ天井壁５に係止可能にしている。
【００３９】
補助係止部材３０は、雌ネジ部材２９２に羅着するネジ部３０１と、頭部に配置された押圧部３０２と、を備えている。押圧部３０２は、樹脂材で形成されるとともに、ベランダ天井壁５を押圧するために、ネジ部３０１より大径に形成されている。
【００４０】
次に、上述のように構成された足場１０の組付手順および作用について説明する。
【００４１】
まず、作業を行う階層に、分割された足場１０のそれぞれの部位をエレベータによって運搬する。分割された部位は、下部枠体１１における縦カバー１１１及び３段のコ字状枠体１１２、上部枠体１３における側部枠体部１４、１５、後枠体部１６、カバー枠体部１８、係止部材ユニット２０、が主であり、そのほか、各枠体に付随するもの、例えば、敷板１１４や１７、また階段１１５やカバー板１９、及びキャスタ１２やアジャスタ１１３等、それに各枠体を組み付ける道具や、ボルト・ナット等の締結部材、及び作業を行うための清掃道具等となる。これ等は、全てエレベータに収納できる大きさに形成されている。
【００４２】
上記の部位をベランダ３内に持ち運んだ後、足場１０を組み立てる。この場合、まず、上部枠体１３の長手方向を、ベランダ３の長手方向となるように、下部枠体１１の方向を決める。下部枠体１１を組み付ける際、３段のコ字状枠体１１２を、下段から順に積み重ねた後、４本の縦カバー１１１を４隅に装着する。下段の３段のコ字状枠体１１２には、キャスタ１２とアジャスタ１１３を装着し、上段のコ字状枠体１１２を装着する際に、下段のコ字状枠体１１２に装着されたリーマボルト１１２ｂに嵌め込むように積み上げる。積み上げた後には、リーマボルト１１２ｂをナットで締結する。その後、敷板１１４、階段１１５等を装着する。
【００４３】
次に、上部枠体１３を順に組み付ける。
【００４４】
下部枠体１１における上段のコ字状枠体１１２に装着されたリーマボルト１１２ｂに一対の側部枠体部１４、１５を嵌合して位置決めする。その後、後枠体部１６を装着して、下部枠体１１の最下段のコ字状枠体１１２に敷板１１４を装着し、上部枠体１３の側部枠体部１４、１５と後枠体部１６の下部に架け渡すように敷板１７を装着する。また、カバー板１９を上部枠体１３の後部の周りに装着する。
【００４５】
なお、この状態で、下部枠体１１の前部と上部枠体１３の前部との繋ぎ目に、図２に示すようなジョイント金具３３で連結すれば、下部枠体１１と上部枠体１３との間での開き防止となることから望ましい。また、図１に示すように、下部枠体１１における最下段のコ字状枠体１１２の延長部分と縦カバー１１１との間をジョイント金具３４で連結することによって、足場１０を補強することができる。
【００４６】
次に、係止部材ユニット２０を上部枠体１３上に装着する。係止部材２１及び補助係止部材３０は、ベランダ天井壁５より低い位置に設定する。
【００４７】
この状態で、カバー枠体部１８が装着されていない仮組みされた足場１０を正規の位置に配置する。つまり、足場１０の前面を部屋１側に向け、足場１０の側部区域Ｍ３をベランダ外壁６より外方に突出させる。
【００４８】
そして、下部枠体１１に装着されているアジャスタ１１３をベランダ床面４に接地して、仮組み状態の足場１０を床面に支持させる。この際、キャスタ１２は、ベランダ３の長手方向に向いていることを確認する。
【００４９】
次に、上部枠体１３の２本の上部横支柱１４４、１５４上に装着された、一対の係止部材ユニット２０のメインジャッキ２８、２８を操作して、一対の係止部材２１、２１をベランダ天井壁５に接地して押し当てる。この操作は、調整ネジ２８１を回転させて４本のリンク２８２を上下方向に延ばして係止部材２１を上昇させる。係止部材２１をベランダ天井壁５に接地させた後、さらに調整ネジ２８１を回転させてベランダ天井壁５を押し付ける。これによって、仮組みされた足場１０は、ベランダ床面４とベランダ天井壁５とを突っ張らせることになり、ベランダ３内で固定支持される。
【００５０】
この状態で、さらに補助係止部材３０をベランダ天井壁５に押し付ける。この操作は、アームジャッキ２９を横ベース２３、２４に対して部屋１側に延ばして、一対の補助係止部材３０、３０を、ベランダ天井壁５の部屋１側縁部付近で接地できる位置に移動させる。その位置付近で、横ベース２３、２４に形成された複数の対向孔２３１のいずれかと、アームジャッキ２９、２９に形成された貫通孔２９１、２９１のいずれかの孔にピンを挿入してアームジャッキ２９、２９の位置決めを行なう。このピンは、少なくとも２箇所に挿入させることが望ましい。
【００５１】
仮組みされた足場１０をベランダ３内で固定支持した後、上部枠体１３の後方において、カバー枠体部１８を装着する。
【００５２】
カバー枠体部１８は、下段の横支柱１８２、１８２を、上部枠体１３の上部横支柱１４４、１５４に装着したリーマボルト１４４ａ、１５４ａに嵌め込んで位置決めした後、ナットで締結し、カバー枠体部１８の周りにカバー板１９を装着する。これによって、足場１０の組付が完了する。
【００５３】
足場１０の組付が完了すると、次にベランダ清掃作業を行う。清掃作業を行うにあたって、水洗浄やバイオ洗浄を行うために、清掃作業を行う場所に図示しない防水シートを掛けて水や塗料等の落下防止を図る。この防水シートの取付けは、足場１０の周りを防水シートで囲み、下端部をベランダ３内に架け渡すようにすれば、水や塗料等の落下を防止することができる。例えば、上部枠体１３の後枠体部１６の幅方向に配置された両側の縦支柱１６１、１６１にポールを立て、各ポールの上端部に水平方向に横ポールを取付け、横ポールに防水シートを巻き付けるようにして装着し、防水シートの両側部を、側部枠体部１４、１５の外側を囲いながら、防水シートの下端部を下部枠体１１とベランダ外壁６との間に架け渡すようにすればよい。
【００５４】
次に、清掃作業を行う。作業者は、下部枠体１１に装着された階段１１５を上って上部枠体１３の後部に敷設された敷板１７上に載って、所定の作業を行う。この際、図５に示すように、梯子３６をかけるようにしてもよい。梯子３６は、上部枠体１３の側部枠体部１４、１５の上部横支柱１４４、１５４に、２段の係着棒３９を備えた梯子支持部材３７、３８を係着し、２個の梯子３６、３６をそれぞれ係着棒３９、３９に係着して構成する。この梯子３６、３６は使用しないときには、例えば、下部枠体１１に敷設された敷板１１４上に収納しておく。
【００５５】
敷板１７は、側部区域Ｍ３内、つまりベランダ外壁６の外方に位置しているから、作業者が敷板１７に載ることによって、足場１０は、外側に向かうモーメントがかかる。しかし、係止部材２１が、ベランダ室内側から室外側に向かって長くなるような面接触でベランダ天井壁５を突っ張るように押し付けているから、ベランダ外壁６側に傾く虞はほとんどない。しかも、上部枠体１３の上面とベランダ天井壁５との間の隙間Ｓは僅かであり、たとえ、ビル風の影響によって係止部材ユニット２０が破損したとしても、上部枠体１３の上部横支柱１４４、１５４がベランダ天井壁５に干渉することによって、足場１０は、僅かに傾くだけで、ベランダ天井壁５に支えられて、やはり落下する虞はほとんどない。
【００５６】
また、上部枠体１３の側部区域Ｍ３では、周りがカバー板１９で囲われてあることから、作業者が落下する虞もほとんどない。
【００５７】
作業内容は、主に、ベランダ天井壁５の下面を塗装する作業、及びベランダ外壁６の水洗浄あるいはバイオ洗浄作業を行うものであって、敷板１７の高さ位置は、通常の背の高さ（１７０ＣＭ前後）を有する作業者の場合、目の位置が上層階のベランダ外壁６より僅かに上方となるように設定されているから、作業を容易に行うことができる。
【００５８】
所定の場所での作業を終了すると、係止部材２１、補助係止部材３０を僅かに緩めてベランダ天井壁５との間にわずかな隙間Ｓを作る。また、ベランダ床面４に接地していたアジャスタ１１３を僅かに緩めて、キャスタ１２を走行可能にする。補助作業者がいる場合には、清掃工事作業者は、足場１０内に乗ったまま、補助作業者が足場１０を走行させる。
【００５９】
そして、次の場所での作業を上述と同様に行う。予定されていた作業を全て終了すると、組み立てた手順と逆の手順を行うことによって、足場１０を分解する。そして、分割された部位をエレベータで運ぶことになる。
【００６０】
次に、第２の実施形態の足場５０について、図５〜８に沿って説明する。
【００６１】
足場５０は、第１の実施形態の足場１０と略同様の足場ユニット５１と、足場ユニット５１を支持するレールユニット６０とを備えて構成されている。足場ユニット５１は、一部について変更されているものの略同様に構成されている。なお、以下の説明にあたっては、第１の実施形態と同様の部位については第１の形態で付記した符号をそのまま使用するものとする。つまり、足場ユニット５１は、足場ユニット５１全体が、ベランダ３内に設置されたレールユニット６０上を走行可能に構成されるものである。そのため、足場ユニット５１の下部に配置された４個のキャスタ１２はレールユニット６０の下部に支持され、足場ユニット５１の上部に配置された後述の連結アーム５２が、レールユニット６０の上部で係止されることとなる。
【００６２】
実施形態のレールユニット６０は、ベランダ床面４とベランダ天井壁５とを突っ張るように配置された側部レール枠体６１と、ベランダ床面４上を走行可能に支持され足場ユニット５１を走行可能に載置する下部レール枠体６７と、を備えて構成されている。
【００６３】
側部レール枠体６１は、ベランダ３の長手方向に沿って部屋１側に配置された複数の縦サポート６２(両端の端部縦サポート６２Ａと中間に配置された複数の中間縦サポート６２Ｂ)と、両端に配置された端部縦サポート６２Ａ、６２Ａより後方の位置(ベランダ外壁６側付近)にそれぞれ配置された外側縦サポート６２Ｃとを備えて平面視コ字状に形成されている。両端の端部縦サポート６２Ａと複数の中間縦サポート６２Ｂとは中間連結ステー６３Ａ（６３）で連結され、両端の端部縦サポート６２Ａと外側縦サポート６２Ｃとは上方位置において端部連結ステー６３Ｂ（６３）で連結されている。中間連結ステー６３Ａ及び端部連結ステー６３ＢはＬ字状に形成された材料を逆Ｌ字状に配置して、上面の平面部とＬ字金具６４を介して各縦サポート６２とを連結している。なお、Ｌ字金具６４は、それぞれ、縦サポート６２に溶着されている。
【００６４】
各縦サポート６２は、上端部に上ジャッキ部６２１、下端部に下ジャッキ部６２２を、備え、上ジャッキ部６２１の直下及び下ジャッキ部６２２の直上には隣り合わせの縦サポート６２側に向かって延びるジョイント片６２３をそれぞれ形成している。このジョイント片６２３に関して、両端に配置された端部縦サポート６２Ａでは、隣り合う縦サポート(中間縦サポート６２Ｂと外側縦サポート６２Ｃ)とが直交して配置されているため、隣り合う中間縦サポート６２Ｂと外側縦サポート６２Ｃにそれぞれ上下に一対向かい合うように直交して配置され、中間縦サポート６２Ｂでは、隣り合う縦サポート６２（端部縦サポート６２Ａ又は中間縦サポート６２Ｂ）に向かい合うように、上下に一対両開き状に配置されている。また、ベランダ外壁６側に配置された外側縦サポート６２Ｃでは、それぞれ上下に一対の端部縦サポート６２Ａ、６２Ａに向かうように配置されている。
【００６５】
隣り合う縦サポート６２(端部縦サポート６２Ａと中間縦サポート６２Ｂ、中間縦サポート６２Ｂ、６２Ｂ同士)の各上下のジョイント片６２３を、それぞれターンパックル６５で交差するようにＸ字状に配置して連結している。
【００６６】
下部レール枠体６７は、中間縦サポート６２Ｂの下部からベランダ外壁６側に向かって延びる複数の横サポート６８Ａ（６８）と、両端部の端部縦サポート６２Ａの下部からベランダ外壁６側に向かって延びる各端部横サポート６８Ｂ(６８)及び外側縦サポート６２Ｃから外側に向かって延設する延設横サポート６８Ｃと、両端の端部横サポート６８Ｂ、６８Ｂに跨るように、横サポート６８Ａ上に平行して載置されて上部を開口したコ字状の２本のレール６９と、を備えている。
【００６７】
端部横サポート６８Ｂ及び延設横サポート６８Ｃには、それぞれベランダ床面４に接地可能な第２のアジャスタ７０が高さ調整可能に装着され、２本のレール６９の両端部付近には、ベランダ床面４に接地する第２のキャスタ７１がそれぞれに装着されている。
【００６８】
上述のレールユニット６０に走行可能に支持される足場ユニット５１は、足場ユニット５１のキャスタ１２がレールユニット６０のレール６９内に挿入されるために、実施形態１の足場１０の下部枠体１１より高さ方向が短く形成される。この場合、下部枠体１１の３段のコ字状枠体１１２のうち、上段のコ字状枠体１１２と下段のコ字状枠体１１２を定型寸法で形成し、中段のコ字状枠体１１２を現場のクリアランスに合わせて形成することが望ましい。
【００６９】
また、係止部材ユニット２０では、第１の実施形態における足場１０におけるアームジャッキ２９の代わりに配置される連結アーム５２が、係止部材ユニット２０と別体で配置され、それぞれ上部枠体１３の上部横支柱１４４、１５４上にネジ締結によって固着されている。連結アーム５２は、ベランダ３の部屋１側に延びて、先端に、上部を開口したＵ字状係止部材５３を備えている。Ｕ字状係止部材５３は、レールユニット６０の中間連結ステー６３Ａの下方から挿入されて係止される。レールユニット６０と足場ユニット５１とは、レール６９によって、その位置が定められることから、連結アーム５２には、長さ調整の必要はない。
【００７０】
連結アーム５２によって、足場ユニット５１がレールユニット６０に係止されることから、メインジャッキ２８でベランダ天井壁５を押圧することに加えて、足場ユニット５１をレールユニット６０で支持することになる。
【００７１】
次に、上述のように構成された足場５０の組付手順および作用について説明する。まず、レールユニット６０を分解した状態で、作業する階層にエレベータで運搬する。レールユニット６０は、側部レール枠体６１や下部レール枠体６７を構成する部品、つまり、縦サポート６２、連結ステー６３、横サポート６８、ターンパックル６５等であり、前述と同様に分解された足場ユニット５１(連結アーム５２とＵ字状係止部材５３で構成される係止部材ユニット２０を含む)とともに運搬する。
【００７２】
作業する階層のベランダ３に、各部品を搬送した後、まずレールユニット６０を組み付ける。複数の縦サポート６２をベランダ床面４とベランダ天井壁５との間に立てて、それぞれ、上ジャッキ部６２１と下ジャッキ部６２２とを調整して、各縦サポート６２を仮設置する。各縦サポート６２に、連結ステー６３、ターンパックル６５及び横サポート６８を装着して、レールユニット６０の仮組を行った後、レールユニット６０を正規の位置に移動する。レールユニット６０の位置が設置されると、縦サポート６２の上ジャッキ部６２１及び下ジャッキ部６２２の高さ調整を行って、縦サポート６２をベランダ床面４とベランダ天井壁５との間で固く接地させる。また、横サポート６８の両端に装着された第２のアジャスタ７０の高さ調整を行って、第２のアジャスタ７０をベランダ床面４に固く接地させる。これによってレールユニット６０が組み付けられて位置固定される。
【００７３】
第２の実施形態の足場ユニット５１の組付手順は、レールユニット６０上で行われ、下部枠体１１及び上部枠体１３の組付は、キャスタ１２が、レールユニット６０のレール６９、６９内を走行可能に載置されるものであり、その他は、第１の実施形態の足場１０で説明したとおりである。下部枠体１１及び上部枠体１３が仮組された状態で足場ユニット５１の位置が設定されると、２箇所のアジャスタ１１３を横サポート６８上に接地するとともに、係止部材ユニット２０を装着する。
【００７４】
この際、連結アーム５２を、上部枠体１３の上部横支柱１４４、１５４の上面にネジ締結にて装着し、連結アーム５２をレールユニット６０の中間連結ステー６３Ａに係止する。連結アーム５２の先端に配置されたＵ字状係止部材５３の開口部側を上方に向けて、Ｕ字状係止部材５３を、中間連結ステー６３Ａの下側から押し当てることによって、足場ユニット５１におけるベランダ外側に働くモーメントを受けることができて、足場ユニット５１の傾きを防止することになる。
【００７５】
係止部材ユニット２０を上部枠体１３に装着した後、メインジャッキ２８を高さ調整して、係止部材２１をベランダ天井壁５に固く係止する。係止部材２１は、足場ユニット５１の上部枠体１３の側部枠体部１４（１５）から上方に延びて、足場ユニット５１の上部前縦支柱１４１（１５１）と上部中縦支柱１４２（１５２）との間に配置されている。そして、メインジャッキ２８でベランダ天井壁５に押し当てられた状態では、係止部材２１がベランダ天井壁５における室内側から外側に向かって広くなるような面接触で係止されることとなる。
【００７６】
これによって、足場ユニット５１は、レールユニット６０を介して、ベランダ床面４とベランダ天井壁５との間で固く支持されることとなる。その後の作業は、前述した通りである。
【００７７】
上述のように、実施形態の足場１０(又は足場ユニット５１)は、上部枠体１３の一対の側部枠体部１４、１５から延びた係止部材２１が、ベランダ３の幅方向に沿って広い接触面積を有してベランダ天井壁５を押し付けていることから、足場１０(又は足場ユニット５１)を傾かせる虞が少ない。また、係止部材２１が、ベランダ天井壁５を押し付ける位置が、足場１０（又は足場ユニット５１）の長さ方向において、上部区域Ｍ２の中央部、つまり上部前縦支柱１４１（１５１）と上部中縦支柱１４２（１５２）との間であることから、係止部材２１をベランダ天井壁５に押し付けることによって受ける反力は、足場１０(又は足場ユニット５１)の上部枠体１３の上部区域Ｍ２内および下部枠体１１の略中心部で受けることになり、係止部材２１が面接触でベランダ天井壁５を押圧していることも含めて、係止部材２１に集中荷重がかかりにくく係止部材ユニット２０の負担を軽減することができる。
【００７８】
さらに、補助係止部材３０がベランダ天井壁５の室内側端面で、ベランダ天井壁５を押圧するから、足場１０(又は足場ユニット５１)はベランダ内で強固に支持されることになる。
【００７９】
したがって、予期しないビル風が発生して、足場１０(又は足場ユニット５１)を損傷させようとしても、ベランダ床面４とベランダ天井壁５との間で強固に支持された足場１０(又は５０)は、一部が損傷することによってベランダ外側に向かって倒れる虞はほとんどない。
【００８０】
しかも、上部枠体１３の上面が、ベランダ天井壁５との間で僅かな隙間を有するように構成されているから、足場１０(又は足場ユニット５１)にベランダ外側に働くモーメントがかかって、たとえ係止部材ユニット２０又は補助係止部材３０が破損しても、足場１０（又は足場ユニット５１）が僅かに傾いて、上部枠体１３の上面がベランダ天井壁５に干渉することになり、足場１０(又は５０)の傾きはベランダ天井壁５で支持されることになる。そのため、足場の一部や、作業者が落下する虞がなく、高層建物、超高層建物の上層階で作業しても安全性を確保することができる。
【００８１】
また、レールユニット６０を介して設置する足場ユニット５１の場合では、レールユニット６０でさらに支持されることから、更なる安全性を確保することができる。特に、Ｕ字状係止部材５３は、上方が開口してレールユニット６０の中間連結ステー６３Ａの下側から係止しているため、足場ユニット５１が傾くように働くモーメントを中間連結ステー６３Ａで受けることができ、傾きは防止される。
【００８２】
また、足場１０(又は５０)やレールユニット６０が、エレベータ等で搬送可能に分解できることから、装置の持ち運びは容易に行うことができる。
【００８３】
なお、上述の足場１０の構成は、あくまで一実施形態を示すものであり、高層階の作業を安全に、しかも短い作業時間で行えるようにすれば、上述の形態に限定するものではない。例えば、係止部材ユニット２０を昇降させるメインジャッキ２８や補助係止部材３０を昇降するものは、空気圧シリンダや油圧シリンダ等のシリンダ手段を使用してもよい。また、足場１０又は足場ユニット５１を構成する各支柱は、Ｌ字上部材(アングル部材)やコ字状部材(チャンネル部材)等を適宜使用することができる。
【図面の簡単な説明】
【００８４】
【図１】本発明における第１の実施形態による工事用足場の取り付け側面図である
【図２】図１における足場の分解斜視図である。
【図３】図２における係止部材ユニットを示す斜視図である。
【図４】図３における係止部材を示す断面図である。
【図５】図１における側部区域（作業区域）の梯子を示す分解斜視図である。
【図６】第２の実施形態を示す足場の取り付け側面図である。
【図７】図６におけるレールユニットの一部を示す斜視図である。
【図８】同平面図である。
【図９】図８におけるIX矢視図である。
【符号の説明】
【００８５】
３、ベランダ
４、ベランダ床面
５、ベランダ天井壁
６、ベランダ外壁
１０、足場
１１、下部枠体
１１３、アジャスタ
１２、キャスタ
１３、上部枠体
１４、側部枠体部
１５、側部枠体部
１８、カバー枠体部
２０、係止部材ユニット
２１、係止部材
２８、メインジャッキ
２９、アームジャッキ
３０、補助係止部材
５０、足場
５１、足場ユニット
５２、連結アーム
５３、Ｕ字状係止部材
６０、レールユニット
６１、側部レール枠体
６２、縦サポート
６３、連結ステー
６７、下部レール枠体
６８、横サポート
６９、レール
７０、第２のアジャスタ
７１、第２のキャスタ
Ｍ１、下部区域
Ｍ２、上部区域
Ｍ３、側部区域
Ｓ、隙間
【図１】
2010059614.tif 000003
【図２】
2010059614.tif 000004
【図３】
2010059614.tif 000005
【図４】
2010059614.tif 000006
【図５】
2010059614.tif 000007
【図６】
2010059614.tif 000008
【図７】
2010059614.tif 000009
【図８】
2010059614.tif 000010
【図９】
2010059614.tif 000011